(57)【要約】【課題】  記録媒体のファイナライズ処理の際にその記録媒体に含まれる各チャプターに関する情報をトップメニューに反映させる。【解決手段】  タイトル検索部３１０は、記録媒体としての光ディスクからその光ディスクに記録された動画データの各タイトルに関するタイトル情報を読み出す。チャプター検索部３２０は、このようにして得られたタイトル情報に基づいて各タイトルにおける各チャプターに関するチャプター情報を読み出す。代表画像選択部３４０は、このようにして得られたチャプター情報に基づいて各チャプターにおける代表画像を選択する。メニュー生成部３５０は、チャプター検索部３２０によって得られたチャプター情報に基づいて各チャプターを再生させるための表示領域を含むトップメニューを生成する。【選択図】      図１５
2005079823.tif 000002
【特許請求の範囲】
【請求項１】
記録媒体からその記録媒体に記録された動画データの各タイトルに関するタイトル情報を読み出すタイトル検索手段と、
前記タイトル情報に基づいて前記各タイトルにおける各チャプターに関するチャプター情報を読み出すチャプター検索手段と、
前記各チャプターを再生させるための表示領域を含むトップメニューを前記チャプター情報に基づいて生成して前記記録媒体に記録するメニュー生成手段と
を具備することを特徴とする情報記録装置。
【請求項２】
前記メニュー生成手段は、前記各チャプターの撮影時刻に関する情報を前記トップメニューに含ませる
ことを具備することを特徴とする請求項１記載の情報記録装置。
【請求項３】
前記チャプター情報に基づいて前記各チャプターにおける代表画像を選択する代表画像選択手段をさらに具備し、
前記メニュー生成手段は、前記代表画像と対応する前記表示領域とを関連付けて前記トップメニューに含ませる
ことを具備することを特徴とする請求項１記載の情報記録装置。
【請求項４】
前記代表画像選択手段は、前記各チャプターの最初の完結画像データを前記代表画像として選択する
ことを具備することを特徴とする請求項３記載の情報記録装置。
【請求項５】
前記代表画像選択手段は、前記各チャプターの先頭のＶＯＢＵにおけるＩピクチャを前記代表画像として選択する
ことを具備することを特徴とする請求項４記載の情報記録装置。
【請求項６】
前記代表画像選択手段は、前記最初の完結画像データが所定の属性を有する場合には前記所定の属性を有しない後続の完結画像データを前記代表画像として選択する
ことを具備することを特徴とする請求項４記載の情報記録装置。
【請求項７】
前記代表画像選択手段は、前記最初の完結画像データが手ぶれ補正限界を超えたものである場合には前記手ぶれ補正限界を超えない後続の完結画像データを前記代表画像として選択する
ことを具備することを特徴とする請求項６記載の情報記録装置。
【請求項８】
前記代表画像選択手段は、前記最初の完結画像データが所定のエフェクト撮影によるものである場合には前記所定のエフェクト撮影によらない後続の完結画像データを前記代表画像として選択する
ことを具備することを特徴とする請求項６記載の情報記録装置。
【請求項９】
前記動画データを前記記録媒体に記録した装置種別を前記各タイトル毎に検出する装置種別検出手段をさらに具備し、
前記チャプター検索手段は、前記装置種別が所定の種別である場合にはそのタイトルに含まれる全てのチャプターに関する前記チャプター情報を読み出し、前記装置種別が前記所定の種別ではない場合にはそのタイトルについては先頭チャプターのみに関する前記チャプター情報を読み出す
ことを具備することを特徴とする請求項１記載の情報記録装置。
【請求項１０】
前記チャプター検索手段は、前記装置種別がカムコーダである場合にはそのタイトルに含まれる全てのチャプターに関する前記チャプター情報を読み出し、前記装置種別がカムコーダではない場合にはそのタイトルについては先頭チャプターのみに関する前記チャプター情報を読み出す
ことを具備することを特徴とする請求項９記載の情報記録装置。
【請求項１１】
記録媒体からその記録媒体に記録された動画データの各タイトルに関するタイトル情報を読み出す手順と、
前記タイトル情報に基づいて前記各タイトルにおける各チャプターに関するチャプター情報を読み出す手順と、
前記各チャプターを再生させるための表示領域を含むトップメニューを前記チャプター情報に基づいて生成して前記記録媒体に記録する手順と
を具備することを特徴とする情報記録方法。
【請求項１２】
記録媒体からその記録媒体に記録された動画データの各タイトルに関するタイトル情報を読み出す手順と、
前記タイトル情報に基づいて前記各タイトルにおける各チャプターに関するチャプター情報を読み出す手順と、
前記チャプター情報に基づいて前記各チャプターにおける代表画像を選択する手順と、
前記各チャプターを再生させるための表示領域を前記代表画像と関連付けて提示するトップメニューを前記チャプター情報に基づいて生成して前記記録媒体に記録する手順と
を具備することを特徴とする情報記録方法。
【請求項１３】
記録媒体からその記録媒体に記録された動画データの各タイトルに関するタイトル情報を読み出す手順と、
前記タイトル情報に基づいて前記各タイトルにおける先頭チャプターに関してチャプター情報を読み出す手順と、
前記動画データを前記記録媒体に記録した装置種別を前記各タイトル毎に検出する手順と、
前記装置種別が所定の種別である場合には前記先頭チャプターに続く各チャプターに関して前記チャプター情報を読み出す手順と、
前記各チャプターを再生させるための表示領域を含むトップメニューを前記チャプター情報に基づいて生成して前記記録媒体に記録する手順と
を具備することを特徴とする情報記録方法。
【請求項１４】
記録媒体からその記録媒体に記録された動画データの各タイトルに関するタイトル情報を読み出す手順と、
前記タイトル情報に基づいて前記各タイトルにおける各チャプターに関するチャプター情報を読み出す手順と、
前記各チャプターを再生させるための表示領域を含むトップメニューを前記チャプター情報に基づいて生成して前記記録媒体に記録する手順と
をコンピュータに実行させることを特徴とするプログラム。
【請求項１５】
記録媒体からその記録媒体に記録された動画データの各タイトルに関するタイトル情報を読み出す手順と、
前記タイトル情報に基づいて前記各タイトルにおける各チャプターに関するチャプター情報を読み出す手順と、
前記チャプター情報に基づいて前記各チャプターにおける代表画像を選択する手順と、
前記各チャプターを再生させるための表示領域を前記代表画像と関連付けて提示するトップメニューを前記チャプター情報に基づいて生成して前記記録媒体に記録する手順と
をコンピュータに実行させることを特徴とするプログラム。
【請求項１６】
記録媒体からその記録媒体に記録された動画データの各タイトルに関するタイトル情報を読み出す手順と、
前記タイトル情報に基づいて前記各タイトルにおける先頭チャプターに関してチャプター情報を読み出す手順と、
前記動画データを前記記録媒体に記録した装置種別を前記各タイトル毎に検出する手順と、
前記装置種別が所定の種別である場合には前記先頭チャプターに続く各チャプターに関して前記チャプター情報を読み出す手順と、
前記各チャプターを再生させるための表示領域を含むトップメニューを前記チャプター情報に基づいて生成して前記記録媒体に記録する手順と
をコンピュータに実行させることを特徴とするプログラム。
【発明の詳細な説明】
【技術分野】
【０００１】
本発明は、情報記録装置に関し、特に記録媒体のファイナライズ処理の際にその記録媒体に含まれる各チャプターに関する情報をトップメニューに反映させる情報記録装置、情報記録方法および当該方法をコンピュータに実行させるプログラムに関する。
【背景技術】
【０００２】
近年、映像データや音声データを記録できる記録媒体として光ディスクが注目されている。光ディスクの一つの規格として採用されているＤＶＤ−Ｖｉｄｅｏ規格では、例えば片面一層の１２ｃｍディスクで約４．７Ｇバイト、片面一層の８ｃｍディスクで約１．５Ｇバイトのデータを保持することができる。このＤＶＤ−Ｖｉｄｅｏ規格は、映画などのコンテンツ商品のメディアとして採用されている。このＤＶＤ−Ｖｉｄｅｏ規格に準拠したディスクは、ＤＶＤ−Ｖｉｄｅｏ再生装置（いわゆる、ＤＶＤプレーヤ）により再生することができる。
【０００３】
一方、このような光ディスクの利用範囲を拡大して、ユーザ側で記録を行うことができるようにした光ディスクも用いられるようなっている。例えば、同一領域について一度だけの記録を可能としたＤＶＤ−Ｒ規格や、繰り返し書き換え可能なＤＶＤ−ＲＷ規格などが知られている。これらＤＶＤ−ＲやＤＶＤ−ＲＷでは、残容量がある限り追記または書き換えによってその記録内容が更新できるようになっている。しかし、この更新可能な状態のままでは、ＤＶＤ−Ｖｉｄｅｏ規格に準拠せず、上述のＤＶＤ−Ｖｉｄｅｏ再生装置における再生に適さない。そこで、ＤＶＤ−ＲやＤＶＤ−ＲＷにおける記録形式がＤＶＤ−Ｖｉｄｅｏ規格に準拠するように、所定の情報を書き込む必要がある。これをファイナライズ処理と呼ぶ。このファイナライズ処理が完了したディスクにはそれ以降データを追記することはできなくなるが、ＤＶＤ−ＲＷの場合はアンファイナライズ処理を施すことによりデータを記録できる形式に戻すことができる。
【０００４】
ところで、ＤＶＤ−Ｖｉｄｅｏ規格では、一つのディスク当たり最大９９のタイトルを記録できるようになっており、さらに各タイトルは最大９９のチャプター（ＰＴＴ：Part of TiTle）を含むことができるようになっている。上述のＤＶＤ−ＲやＤＶＤ−ＲＷに対してカムコーダ（camcorder：camera and recorder）により記録を行う場合、記録開始から記録終了までの１回の記録単位がチャプターとして記録され、所定の条件を満たすまで同一のタイトルとして記録される。タイトルを閉じる所定の条件とは、例えば、ディスクがイジェクト（排出）された場合、タイトル内で９９チャプターに達した場合、タイトル内で９９セルに達した場合、動画記録から静止画記録に移行した場合などである。このようにカムコーダによって記録されたディスクがファイナライズ処理されると、トップメニューにはタイトル毎のメニューが提示される。もし、チャプター毎のメニューを表示させたい場合には、トップメニューにおいて所望のタイトルを選択した上でそのタイトルのチャプターメニューに移行しなければならない（例えば、特許文献１参照。）。
【０００５】
なお、光ディスク上の各情報に関する論理構造については、特許文献２や特許文献３に詳説されている。
【特許文献１】特開２００１−３２６９１０号公報（図４）
【特許文献２】特開平１０−５００３５号公報（図７）
【特許文献３】特開２００３−９１９７５号公報（図９）
【発明の開示】
【発明が解決しようとする課題】
【０００６】
上述の従来技術では、カムコーダによって記録されたディスクがファイナライズ処理されると、トップメニューにタイトル毎のメニューが提示され、チャプター毎のメニューを表示するためには各タイトルのチャプターメニューに移行する必要があった。しかしながら、カムコーダにおけるタイトルの区分けは上述のように半ば自動的に行われるものであり、必ずしも記録内容と連動しているわけではない。従って、チャプター毎のメニューを参照するためにトップメニューとチャプターとを行き来するのは却って煩わしいこととなる。
【０００７】
そこで、本発明は、記録媒体のファイナライズ処理の際にその記録媒体に含まれる各チャプターに関する情報をトップメニューに反映させることを目的とする。
【課題を解決するための手段】
【０００８】
上記課題を解決するために本発明の請求項１記載の情報記録装置は、記録媒体からその記録媒体に記録された動画データの各タイトルに関するタイトル情報を読み出すタイトル検索手段と、上記タイトル情報に基づいて上記各タイトルにおける各チャプターに関するチャプター情報を読み出すチャプター検索手段と、上記各チャプターを再生させるための表示領域を含むトップメニューを上記チャプター情報に基づいて生成して上記記録媒体に記録するメニュー生成手段とを具備する。これにより、読み出されたチャプター情報に基づいて、各チャプターを再生させるための表示領域を含んだトップメニューが生成されるという作用をもたらす。
【０００９】
また、本発明の請求項２記載の情報記録装置は、請求項１記載の情報記録装置において、上記メニュー生成手段が、上記各チャプターの撮影時刻に関する情報を上記トップメニューに含ませるものである。これにより、トップメニューにおいて撮影時刻を容易に把握させるという作用をもたらす。
【００１０】
また、本発明の請求項３記載の情報記録装置は、請求項１記載の情報記録装置において、上記チャプター情報に基づいて上記各チャプターにおける代表画像を選択する代表画像選択手段をさらに具備し、上記メニュー生成手段が、上記代表画像と対応する上記表示領域とを関連付けて上記トップメニューに含ませるものである。これにより、トップメニューに各チャプタの代表画像を含ませるという作用をもたらす。
【００１１】
また、本発明の請求項４記載の情報記録装置は、請求項３記載の情報記録装置において、上記代表画像選択手段が、上記各チャプターの最初の完結画像データを上記代表画像として選択するものである。これにより、各チャプターの最初の完結画像データをトップメニューに含ませるという作用をもたらす。
【００１２】
また、本発明の請求項５記載の情報記録装置は、請求項４記載の情報記録装置において、上記代表画像選択手段が、上記各チャプターの先頭のＶＯＢＵにおけるＩピクチャを上記代表画像として選択するものである。これにより、各チャプターの先頭のＶＯＢＵにおけるＩピクチャをトップメニューに含ませるという作用をもたらす。
【００１３】
また、本発明の請求項６記載の情報記録装置は、請求項４記載の情報記録装置において、上記代表画像選択手段が、上記最初の完結画像データが所定の属性を有する場合には上記所定の属性を有しない後続の完結画像データを上記代表画像として選択するものである。これにより、最初の完結画像データが所定の属性を有する場合には代表画像として選択させないという作用をもたらす。
【００１４】
また、本発明の請求項７記載の情報記録装置は、請求項６記載の情報記録装置において、上記代表画像選択手段が、上記最初の完結画像データが手ぶれ補正限界を超えたものである場合には上記手ぶれ補正限界を超えない後続の完結画像データを上記代表画像として選択するものである。これにより、最初の完結画像データが手ぶれ補正限界を超えたものである場合には代表画像として選択させないという作用をもたらす。
【００１５】
また、本発明の請求項８記載の情報記録装置は、請求項６記載の情報記録装置において、上記代表画像選択手段が、上記最初の完結画像データが所定のエフェクト撮影によるものである場合には上記所定のエフェクト撮影によらない後続の完結画像データを上記代表画像として選択するものである。これにより、最初の完結画像データが所定のエフェクト撮影によるものである場合には代表画像として選択させないという作用をもたらす。
【００１６】
また、本発明の請求項９記載の情報記録装置は、請求項１記載の情報記録装置において、上記動画データを上記記録媒体に記録した装置種別を上記各タイトル毎に検出する装置種別検出手段をさらに具備し、上記チャプター検索手段が、上記装置種別が所定の種別である場合にはそのタイトルに含まれる全てのチャプターに関する上記チャプター情報を読み出し、上記装置種別が上記所定の種別ではない場合にはそのタイトルについては先頭チャプターのみに関する上記チャプター情報を読み出すものである。これにより、装置種別が所定の種別である場合にはそのタイトルに含まれる全てのチャプターをトップメニューに含ませ、所定の種別ではない場合にはそのタイトルについては先頭チャプターのみをトップメニューに含ませる。
【００１７】
また、本発明の請求項１０記載の情報記録装置は、請求項９記載の情報記録装置において、上記チャプター検索手段が、上記装置種別がカムコーダである場合にはそのタイトルに含まれる全てのチャプターに関する上記チャプター情報を読み出し、上記装置種別がカムコーダではない場合にはそのタイトルについては先頭チャプターのみに関する上記チャプター情報を読み出すものである。これにより、装置種別がカムコーダである場合にはそのタイトルに含まれる全てのチャプターをトップメニューに含ませ、カムコーダではない場合にはそのタイトルについては先頭チャプターのみをトップメニューに含ませる。
【００１８】
また、本発明の請求項１１記載の情報記録方法は、記録媒体からその記録媒体に記録された動画データの各タイトルに関するタイトル情報を読み出す手順と、上記タイトル情報に基づいて上記各タイトルにおける各チャプターに関するチャプター情報を読み出す手順と、上記各チャプターを再生させるための表示領域を含むトップメニューを上記チャプター情報に基づいて生成して上記記録媒体に記録する手順とを具備する。これにより、読み出されたチャプター情報に基づいて、各チャプターを再生させるための表示領域を含んだトップメニューが生成されるという作用をもたらす。
【００１９】
また、本発明の請求項１２記載の情報記録方法は、記録媒体からその記録媒体に記録された動画データの各タイトルに関するタイトル情報を読み出す手順と、上記タイトル情報に基づいて上記各タイトルにおける各チャプターに関するチャプター情報を読み出す手順と、上記チャプター情報に基づいて上記各チャプターにおける代表画像を選択する手順と、上記各チャプターを再生させるための表示領域を上記代表画像と関連付けて提示するトップメニューを上記チャプター情報に基づいて生成して上記記録媒体に記録する手順とを具備する。これにより、各チャプターを再生させるための表示領域を含んだトップメニューに各チャプタの代表画像を含ませるという作用をもたらす。
【００２０】
また、本発明の請求項１３記載の情報記録方法は、記録媒体からその記録媒体に記録された動画データの各タイトルに関するタイトル情報を読み出す手順と、上記タイトル情報に基づいて上記各タイトルにおける先頭チャプターに関してチャプター情報を読み出す手順と、上記動画データを上記記録媒体に記録した装置種別を上記各タイトル毎に検出する手順と、上記装置種別が所定の種別である場合には上記先頭チャプターに続く各チャプターに関して上記チャプター情報を読み出す手順と、上記各チャプターを再生させるための表示領域を含むトップメニューを上記チャプター情報に基づいて生成して上記記録媒体に記録する手順とを具備する。これにより、装置種別が所定の種別である場合にはそのタイトルに含まれる全てのチャプターをトップメニューに含ませ、所定の種別ではない場合にはそのタイトルについては先頭チャプターのみをトップメニューに含ませる。
【００２１】
また、本発明の請求項１４記載のプログラムは、記録媒体からその記録媒体に記録された動画データの各タイトルに関するタイトル情報を読み出す手順と、上記タイトル情報に基づいて上記各タイトルにおける各チャプターに関するチャプター情報を読み出す手順と、上記各チャプターを再生させるための表示領域を含むトップメニューを上記チャプター情報に基づいて生成して上記記録媒体に記録する手順とをコンピュータに実行させるものである。これにより、読み出されたチャプター情報に基づいて、各チャプターを再生させるための表示領域を含んだトップメニューが生成されるという作用をもたらす。
【００２２】
また、本発明の請求項１５記載のプログラムは、記録媒体からその記録媒体に記録された動画データの各タイトルに関するタイトル情報を読み出す手順と、上記タイトル情報に基づいて上記各タイトルにおける各チャプターに関するチャプター情報を読み出す手順と、上記チャプター情報に基づいて上記各チャプターにおける代表画像を選択する手順と、上記各チャプターを再生させるための表示領域を上記代表画像と関連付けて提示するトップメニューを上記チャプター情報に基づいて生成して上記記録媒体に記録する手順とをコンピュータに実行させるものである。これにより、各チャプターを再生させるための表示領域を含んだトップメニューに各チャプタの代表画像を含ませるという作用をもたらす。
【００２３】
また、本発明の請求項１６記載のプログラムは、記録媒体からその記録媒体に記録された動画データの各タイトルに関するタイトル情報を読み出す手順と、上記タイトル情報に基づいて上記各タイトルにおける先頭チャプターに関してチャプター情報を読み出す手順と、上記動画データを上記記録媒体に記録した装置種別を上記各タイトル毎に検出する手順と、上記装置種別が所定の種別である場合には上記先頭チャプターに続く各チャプターに関して上記チャプター情報を読み出す手順と、上記各チャプターを再生させるための表示領域を含むトップメニューを上記チャプター情報に基づいて生成して上記記録媒体に記録する手順とをコンピュータに実行させるものである。これにより、装置種別が所定の種別である場合にはそのタイトルに含まれる全てのチャプターをトップメニューに含ませ、所定の種別ではない場合にはそのタイトルについては先頭チャプターのみをトップメニューに含ませる。
【発明の効果】
【００２４】
本発明によれば、記録媒体のファイナライズ処理の際にその記録媒体に含まれる各チャプターに関する情報をトップメニューに反映させるという優れた効果を奏し得る。
【発明を実施するための最良の形態】
【００２５】
次に本発明の実施の形態について図面を参照して詳細に説明する。
【００２６】
図１は、ＤＶＤ−Ｖｉｄｅｏ規格によるディスクのデータ構造を示す図である。ディスクは円盤状の形状を有しており、内周側にリードイン領域７１１が設けられ、外周側にリードアウト領域７１５が設けられる。そして、内周側から外周側に向かって順番に、ファイルシステム領域７１２と、管理情報領域７１３と、データ記録領域７１４とが設けられる。ファイルシステム領域７１２は、ファイルシステムの管理領域であり、ＩＳＯ９６６０およびＵＤＦ（Universal Disk Format）の規格に準拠するように設けられている。管理情報領域７１３は、ディスク上に記録されているビデオコンテンツ全体の管理情報を保持する領域である。データ記録領域７１４は、各ビデオタイトルセットの内容およびその制御情報を保持する領域である。なお、これら領域は、２０４８バイトの論理セクタに区分される。
【００２７】
管理情報領域７１３には、ＶＭＧ（Video ManaGer）７３０が保持される。このＶＭＧ７３０は、ＶＭＧＩ（ＶＭＧ Information）７３１と、ＶＭＧＭ＿ＶＯＢＳ（Video OBject Set for ＶＭＧ Menu）７３２と、ＶＭＧＩ＿ＢＵＰ（ＶＭＧＩ for Back UP）７３４とを備えている。ＶＭＧＩ７３１は、後述するように、ディスク上に記録されているビデオコンテンツのタイトル毎の管理情報やトップメニューの制御情報などを保持する。ＶＭＧＭ＿ＶＯＢＳ７３２は、トップメニューのデータを保持する。また、ＶＭＧＩ＿ＢＵＰ７３４は、ＶＭＧＩ７３１のバックアップ用コピーである。
【００２８】
データ記録領域７１４には、ＶＴＳ（Video Titles Set）７４０が少なくとも１つ保持される。各ＶＴＳ７４０は、それぞれＶＴＳＩ（ＶＴＳ Information）７４１と、ＶＴＳＭ＿ＶＯＢＳ（Video OBject Set for ＶＴＳ Menu）７４２と、ＶＴＳＴＴ＿ＶＯＢＳ（Video Object Set for Titles in a ＶＴＳ）７４３と、ＶＴＳＩ＿ＢＵＰ（ＶＴＳＩ for Back UP）７４４とを備えている。ＶＴＳＩ７４１は、後述するように、そのビデオタイトルセットに含まれるタイトルのチャプター毎の管理情報や制御情報およびチャプターメニューの制御情報などを保持する。ＶＴＳＭ＿ＶＯＢＳ７４２は、チャプターメニューのデータを保持する。ＶＴＳＴＴ＿ＶＯＢＳ７４３は、そのビデオタイトルセットに含まれるタイトルのデータを保持する。また、ＶＴＳＩ＿ＢＵＰ７４４は、ＶＴＳＩ７４１のバックアップ用コピーである。
【００２９】
図２は、ビデオタイトルセット（ＶＴＳ）におけるタイトルとチャプターとの関係を示す図である。上述のように、ビデオコンテンツの実データはＶＴＳＴＴ＿ＶＯＢＳ７４３に記録される。各ＶＴＳ７４０には、最大９９タイトルまで格納できる。但し、ディスク全体としても最大９９タイトルまでしか格納できないため、この最大タイトル数は他のＶＴＳの使用状況に影響を受けることになる。
【００３０】
ＶＴＳ７４０における各タイトルは、少なくとも１つのチャプターに区分される。各タイトルの最大チャプター数は９９である。カムコーダにおいては、記録開始から記録終了までの１回の記録単位がチャプターとして記録され、例えば、ディスクがイジェクトされた場合、タイトル内で９９チャプターに達した場合、タイトル内で９９セルに達した場合、動画記録から静止画記録に移行した場合などの事象が生じるまで同一タイトル内にチャプターが生成されていく。従って、カムコーダにおいて繰り返し記録を行っている際にタイトル内のチャプター数が９９に達すると、そのタイトルが閉じられ、次のチャプターは新たなタイトル内に生成される。
【００３１】
各タイトルにおけるチャプターの開始位置を保持するのはＶＴＳＩ７４１である。後述するように、ＶＴＳＩ７４１は、タイトル毎の管理情報（ＴＴＵ）として各チャプターの開始位置を示すポインタ（ＰＴＴ＿ＳＲＰ）を保持している。
【００３２】
図３は、ビデオオブジェクトセット（ＶＯＢＳ）の構成要素を示す図である。図１のＶＭＧＭ＿ＶＯＢＳ７３２、ＶＴＳＭ＿ＶＯＢＳ７４２、および、ＶＴＳＴＴ＿ＶＯＢＳ７４３は、それぞれのデータをビデオオブジェクトセット（ＶＯＢＳ）として保持するものであり、共通の形式を有する。このＶＯＢＳ７６０は、１個以上のビデオオブジェクト（ＶＯＢ）７６１の集合である。このＶＯＢ７６１にはＶＯＢ＿ＩＤ番号が付され、識別のために用いられる。このＶＯＢ７６１は、１個以上のセル（Ｃｅｌｌ）７６２により構成される。このセル７６２は、リアルタイム再生単位であり、ＶＯＢ７６１と同様にセルＩＤ番号が付される。
【００３３】
セル７６２は、１個以上のビデオオブジェクトユニット（ＶＯＢＵ）７６３を含む。このＶＯＢＵ７６３は、ナビゲーションパック（ＮＶ＿ＰＣＫ）７６４を先頭とするパック列である。パックとは、２０４８バイトの固定データであり、先頭のＮＶ＿ＰＣＫ７６４の他、映像データを保持する映像パック（Ｖ＿ＰＣＫ）７６５、音声データを保持する音声パック（Ａ＿ＰＣＫ）７６６、サブピクチャデータを保持するサブピクチャパック（ＳＰ＿ＰＣＫ）７６７、追加記録情報を保持する追加記録情報パック（ＡＲＩ＿ＰＣＫ）７６８などを必要に応じて備える。
【００３４】
ＮＶ＿ＰＣＫ７６４は、パックヘッダ７７１に続いて、再生制御情報（ＰＣＩ：Presentation Control Information）７７２およびデータ検索情報（ＤＳＩ：Data Search Information）７７３を保持する。ＰＣＩ７７２は、再生表示に関する制御情報であり、ノンシームレス再生のためのアングル情報や、サブピクチャのハイライト表示のための情報などを保持する。ＤＳＩ７７３は、ディスクにアクセスするための制御情報であり、シームレス再生のためのアングル情報や、再生時間（０．５秒×ｎ）を単位としたＶＯＢＵの検索情報などを保持する。
【００３５】
図４は、ビデオオブジェクトユニット（ＶＯＢＵ）と符号化画像との関係を示す図である。ＶＯＢＳ７６０内の画像データは、ＭＰＥＧ−２（Moving Picture Coding Experts Group -2）符号化方式により符号化されている。このＭＰＥＧ−２符号化方式では、ＧＯＰ（Group Of Pictures）と呼ばれる１５枚の画像により０．５秒程度の動画像を表している。図４（ａ）では、１枚のＩピクチャと、４枚のＰピクチャと、１０枚のＢピクチャとにより計１５枚の画像５１１によりＧＯＰ５１０を構成する様子が示されている。ここで、Ｉピクチャは、フレーム内符号化画像であり、他のＰピクチャやＢピクチャとは独立して符号化される完結画像である。一方、Ｐピクチャは、時間的に先行するＩピクチャまたはＰピクチャとの差分を利用して符号化される。また、Ｂピクチャは、時間的に前後両方向のＩピクチャまたはＰピクチャとの差分を利用して符号化される。従って、ＧＯＰにおいて独立して復号化できるのはＩピクチャだけである。
【００３６】
ＧＯＰ内の１５枚の画像は、ディスク上では図４（ｂ）のように一部の順序が入れ替えされて記録される。これは、上述の符号化方式の特徴に基づくものであり、復号の際に時間的に後続の画像を待つことを回避するためである。例えば、Ｂピクチャ（Ｂ５）を復号化するためにはＩピクチャ（Ｉ３）とＰピクチャ（Ｐ６）を参照する必要があるが、図４（ｂ）のような入れ替えを行うことにより、Ｂピクチャ（Ｂ５）を復号化する時点で必要な画像データ（Ｉ３およびＰ６）が揃っていることになる。なお、このような画像５２１の順序関係を維持するために、ＰＴＳ（Presentation Time Stamp）５２２およびＤＴＳ（Decoding Time Stamp）５２３というタイムスタンプが付与される。ＰＴＳ５２２は再生出力の時刻管理情報であり、そのタイムスタンプが付与された単位画像をいつ再生出力するかを示す。一方、ＤＴＳ５２３は復号の時刻管理情報であり、そのタイムスタンプが付与された単位画像をいつ復号するかを示す。
【００３７】
符号化された各画像は、図４（ｃ）のように、それぞれ１つ以上のパックに収められる。例えば、Ｉピクチャ（Ｉ３）はＶ＿ＰＣＫ＿Ｉ３（５３２）として保持され、Ｂピクチャ（Ｂ１）はＶ＿ＰＣＫ＿Ｂ１（５３３）として保持される。そして、ＮＶ＿ＰＣＫ５３１やＡＲＩ＿ＰＣＫ５３９などと共にＶＯＢＵを構成する。
【００３８】
図５は、プログラムチェイン（ＰＧＣ）におけるプログラムチェイン情報（ＰＧＣＩ）とビデオオブジェクトセット（ＶＯＢＳ）との関係を示す図である。プログラムチェイン（ＰＧＣ）６００は、再生単位であるセル７６２の再生順序を示すプログラムチェイン情報（ＰＧＣＩ）６１０と、そのセル７６２を保持するビデオオブジェクトセット（ＶＯＢＳ）６２０とから構成される。
【００３９】
上述のとおり、ＶＯＢＳ６２０を構成するＶＯＢやセルにはそれぞれＩＤ番号が付されているが、これは必ずしも再生順序を表すわけではない。この再生順序を示すのがＰＧＣＩ６１０におけるセル番号である。例えば、図５の例では、ＰＧＣＩ６１０におけるセル番号（ＣＮ）の順序に従って、ＶＯＢＳ６２０におけるセルが、ＶＯＢ＃１・Ｃｅｌｌ＃１、ＶＯＢ＃１・Ｃｅｌｌ＃２、ＶＯＢ＃２・Ｃｅｌｌ＃１、ＶＯＢ＃３・Ｃｅｌｌ＃１、ＶＯＢ＃３・Ｃｅｌｌ＃２、ＶＯＢ＃４・Ｃｅｌｌ＃１、ＶＯＢ＃４・Ｃｅｌｌ＃２、ＶＯＢ＃４・Ｃｅｌｌ＃３、ＶＯＢ＃５・Ｃｅｌｌ＃１の順で再生される。
【００４０】
ＰＧＣ６００において、一つ以上の連続するセル番号を有するセルをまとめたものを一つのプログラム（ＰＧ）として定義することができる。このプログラムにはプログラム番号が付される。そして、一つ以上の連続するプログラム番号を有するプログラムをまとめたものをチャプター（ＰＴＴ）として定義することができる。例えば、図５の例では、ＰＧ＃１から＃３がＰＴＴ＃１として定義され、ＰＧ＃４および＃５がＰＴＴ＃２として定義されている。従って、ＶＯＢ＃１・Ｃｅｌｌ＃１、ＶＯＢ＃１・Ｃｅｌｌ＃２、ＶＯＢ＃２・Ｃｅｌｌ＃１、ＶＯＢ＃３・Ｃｅｌｌ＃１、ＶＯＢ＃３・Ｃｅｌｌ＃２が１つ目のチャプターとなり、ＶＯＢ＃４・Ｃｅｌｌ＃１、ＶＯＢ＃４・Ｃｅｌｌ＃２、ＶＯＢ＃４・Ｃｅｌｌ＃３、ＶＯＢ＃５・Ｃｅｌｌ＃１が２つ目のチャプターとなる。
【００４１】
図６は、ビデオタイトルセット情報（ＶＴＳＩ）のデータ構造を示す図である。このＶＴＳＩ７４１は、ビデオタイトルセット情報管理テーブル（ＶＴＳＩ＿ＭＡＴ：VTSI MAnagement Table）、ビデオタイトルセットＰＴＴ検索ポインタテーブル（ＶＴＳ＿ＰＴＴ＿ＳＲＰＴ：VTS PTT Search Pointer Table）、ビデオタイトルセットＰＧＣＩテーブル（ＶＴＳ＿ＰＧＣＩＴ：VTS PGCI Table）、ビデオタイトルセットメニューＰＧＣＩユニットテーブル（ＶＴＳＭ＿ＰＧＣＩ＿ＵＴ：VTS Menu PGCI Unit Table）、ビデオタイトルセット時刻マップテーブル（ＶＴＳ＿ＴＭＡＰＴ：VTS Time MAP Table）、ビデオタイトルセットメニュー・セルアドレステーブル（ＶＴＳＭ＿Ｃ＿ＡＤＴ：VTS Menu Cell ADdress Table）、ビデオタイトルセットメニュー・ＶＯＢＵアドレスマップ（ＶＴＳＭ＿ＶＯＢＵ＿ＡＤＭＡＰ：VTS Menu VOBU ADdress MAP）、ビデオタイトルセット・セルアドレステーブル（ＶＴＳ＿Ｃ＿ＡＤＴ：VTS Cell ADdress Table）、および、ビデオタイトルセット・ＶＯＢＵアドレスマップ（ＶＴＳ＿ＶＯＢＵ＿ＡＤＭＡＰ：VTS VOBU ADdress MAP）というデータ構造を備えることができる。
【００４２】
ここで、ＶＴＳ＿ＰＴＴ＿ＳＲＰＴは、各タイトルにおけるチャプターのポインタへのアクセス情報である。図２により説明したとおり、ＰＴＴ＿ＳＲＰは各チャプターの開始位置を示すポインタであり、具体的には、各チャプターの属するＰＧＣのＰＧＣ番号およびそのＰＧＣにおけるＰＧ番号によりチャプターを特定する。このＰＴＴ＿ＳＲＰをタイトル毎に保持するのがＴＴＵであり、さらにＴＴＵへのポインタ（ＴＴＵ＿ＳＲＰ）を保持するのがＶＴＳ＿ＰＴＴ＿ＳＲＰＴである。従って、このＶＴＳ＿ＰＴＴ＿ＳＲＰＴに含まれる情報を利用することにより所望のチャプターのＰＴＴ＿ＳＲＰを読み出すことができ、図２のようにＶＴＳＴＴ＿ＶＯＢＳにおけるチャプターの開始位置を知ることができる。
【００４３】
また、ＶＴＳＩにおけるＶＴＳ＿ＰＧＣＩＴは、ビデオタイトルセットのプログラムチェインを再生制御するためのＰＧＣＩへのアクセス情報である。このビデオタイトルセットのＰＧＣＩは必要に応じて１つ以上設けることができる。このＶＴＳ＿ＰＧＣＩへのポインタ（ＶＴＳ＿ＰＧＣＩ＿ＳＲＰ）がＶＴＳ＿ＰＧＣＩＴに保持される。
【００４４】
ここで、ＰＧＣＩは、ＰＧＣ全般情報（ＰＧＣ＿ＧＩ：PGC General Information）、ＰＧＣコマンドテーブル（ＰＧＣ＿ＣＭＤＴ：PGC CoMmanD Table）、ＰＧＣプログラムマップ（ＰＧＣ＿ＰＧＭＡＰ：PGC ProGram Map）、セルプレイバック情報テーブル（Ｃ＿ＰＢＩＴ：Cell PlayBack Information Table）、および、セル位置情報テーブル（Ｃ＿ＰＯＳＩＴ：Cell POSition Information Table）というデータ構造を備えることができる。ＰＧＣ＿ＣＭＤＴは、セルの再生前後または再生中に実行すべきコマンドを保持する。ＰＧＣ＿ＰＧＭＡＰは、各プログラムの開始セル番号を保持する。Ｃ＿ＰＢＩＴは、各セルのカテゴリや各セル内の先頭ＶＯＢＵの開始アドレスなどを保持する。Ｃ＿ＰＯＳＩＴは、各セルのＶＯＢ＿ＩＤ番号およびセルＩＤ番号を保持する。従って、ＰＧＣ番号とＰＧ番号が既知であればＰＧＣ＿ＰＧＭＡＰからプログラムにおける開始セルのセル番号を取得でき、さらにＣ＿ＰＯＳＩＴによりセル番号からＶＯＢ＿ＩＤ番号およびセルＩＤ番号を取得することができる。これにより、図５のようにＶＯＢＳにおける具体的な位置情報を知ることができる。すなわち、ＰＴＴ＿ＳＲＰのＰＧＣ番号およびＰＧ番号からＶＴＳＴＴ＿ＶＯＢＳにおけるＶＯＢ＿ＩＤ番号およびセルＩＤ番号を取得することができるわけである。
【００４５】
図７は、ビデオマネージャ情報（ＶＭＧＩ）のデータ構造を示す図である。このＶＭＧＩ７３１は、ビデオマネージャ情報管理テーブル（ＶＭＧＩ＿ＭＡＴ：VMGI MAnagement Table）、タイトル検索ポインタテーブル（ＴＴ＿ＳＲＰＴ：TiTle Search Pointer Table）、ビデオマネージャメニューＰＧＣ情報ユニットテーブル（ＶＭＧＭ＿ＰＧＣＩ＿ＵＴ：VMG Menu PGCI Unit Table）、ペアレンタル管理情報テーブル（ＰＴＬ＿ＭＡＩＴ：ParenTaL MAnagement Information Table）、ビデオタイトルセット属性テーブル（ＶＴＳ＿ＡＴＲＴ：VTS AtTRibuTe Table）、テキストデータマネージャ（ＴＸＴＤＴ＿ＭＧ：TeXT DaTa ManaGer）、ビデオマネージャメニュー・セルアドレステーブル（ＶＭＧＭ＿Ｃ＿ＡＤＴ：VMG Menu Cell ADdress Table）、および、ビデオマネージャメニュー・ＶＯＢＵアドレスマップ（ＶＭＧＭ＿ＶＯＢＵ＿ＡＤＭＡＰ：VMG Menu VOBU ADdress MAP）というデータ構造を備えることができる。
【００４６】
ここで、ＶＭＧＭ＿ＰＧＣＩ＿ＵＴは、トップメニューのプログラムチェインを再生制御するためのＰＧＣＩへのアクセス情報である。トップメニューのＰＧＣＩ（ＶＭＧＭ＿ＰＧＣＩ）は、各言語毎に１つ以上設けることができる。このＶＭＧＭ＿ＰＧＣＩへのポインタ（ＶＭＧＭ＿ＰＧＣＩ＿ＳＲＰ）は、言語毎にＶＭＧＭ＿ＬＵに保持される。そして、この言語毎のＶＭＧＭ＿ＬＵに対するポインタがＶＭＧＭ＿ＰＧＣＩ＿ＵＴに保持される。従って、このＶＭＧＭ＿ＰＧＣＩ＿ＵＴに含まれる情報を利用することにより所望のＶＭＧＭ＿ＰＧＣＩを読み出すことができ、さらに図５に説明した仕組みによってトップメニューの内容であるＶＭＧＭ＿ＶＯＢＳ７３２にアクセスことができる。
【００４７】
図８は、本発明の実施の形態における追加記録情報（ＡＲＩ＿ＰＣＫ）のデータ構造を示す図である。このＡＲＩ＿ＰＣＫ７６８に含まれる情報は、追加記録情報識別子、アプリケーション情報、記録時間情報、カメラ情報の４種類に大別される。
【００４８】
追加記録識別子は、パケット内データが追加記録情報であることを認識させるための識別子であり、追加記録情報データ識別子（ＡＲＩ＿ＤＡＴ＿ＩＤ）と、そのバージョン番号（ＡＲＩ＿ＤＡＴ＿ＶＥＲ）が記録される。
【００４９】
アプリケーション情報には、製品の製造元であるベンダー名（ＶＮＤ＿ＮＡＭＥ）、製品名であるプロダクト名（ＰＲＤ＿ＮＡＭＥ）、アプリケーション識別子（ＡＰＬ＿ＩＤ）、開発者情報データ（ＭＮＦＩ＿ＤＡＴＡ）、装置種別（ＰＲＤ＿ＴＹＰ）が含まれる。ここで、アプリケーション識別子は、記録時の記録方式を識別するための情報である。開発者用データは、開発者が自由に使用できるエリアであり、例えば開発時のデバッグ用のデータが記録される。また、装置種別は、記録時の装置の種別を識別するための情報であり、例えば、携行型のカムコーダによって記録されたか、または、それ以外の据え置き型のデッキ（レコーダ）によって記録されたかを示す。この装置種別は、ベンダー名およびプロダクト名から判断するようにしてもよい。但し、その場合にはベンダー名およびプロダクト名をキーとして装置種別を取得するためのデータベースが必要となる。このデータベースはネットワーク経由により適宜更新されるようにすることが望ましい。
【００５０】
記録時間情報には、当該追加記録情報が含まれるＶＯＢＵについての追加記録情報データ（ＡＲＩ＿ＤＡＴＡ）の記録時のタイムゾーン（ＶＯＢＵ＿ＬＣＬ＿ＴＭ＿ＺＯＮＥ）と、ＡＲＩ＿ＤＡＴＡの記録時間（ＶＯＢＵ＿ＲＥＣ＿ＴＭ）とが記録される。ＶＯＢＵ＿ＲＥＣ＿ＴＭは、例えば、Ｉピクチャのフレームの撮影時間として、年、月、日、時、分、秒で記述される。ＶＯＢＵ＿ＬＣＬ＿ＴＭ＿ＺＯＮＥは、ＶＯＢＵ＿ＲＥＣ＿ＴＭに対するタイムゾーンが記録される。ここで、タイムゾーンとは、ユーザが機器に設定したＵＴＣ（Ｃｏｏｒｄｉｎａｔｅｄ  Ｕｎｉｖｅｒｓａｌ  Ｔｉｍｅ）からのオフセット時間である。すなわち、記録装置を使用する国の時刻（ローカルタイム）に対応した時差である。ＶＯＢＵ＿ＲＥＣ＿ＴＭとして、ユニバーサルタイム（全世界で時刻を記録する際に使用される公式の時刻）を用いることもでき、その場合には、ＶＯＢＵ＿ＬＣＬ＿ＴＭ＿ＺＯＮＥは、ゼロに設定される。
【００５１】
カメラ情報には、撮影時の設定条件などの情報として、Ｆナンバー（Ｆ＿ＮＵＭ）、露出時間（ＥＸＰ＿ＴＭ）、露出プログラム（ＥＸＰ＿ＰＲＧ）、露光補正値（ＥＸＰ＿ＢＩＳ＿ＶＡＬ）、ＡＧＣゲイン値（ＡＧＣ）、レンズ最小Ｆ値（ＭＡＸ＿ＡＰＥ＿ＶＡＬ）、フラッシュ（ＦＬＳ）、レンズ焦点距離（ＦＣＬ＿ＬＥＮ）、ホワイトバランス（ＷＨＴ＿ＢＡＬ）、撮影シーンタイプ（ＳＣＮ＿ＣＡＰ＿ＴＹＰ）、フォーカスモード（ＦＣＳ＿ＭＯＤ）、被写体距離（ＦＣＳ＿ＰＯＳ）、手ぶれ補正（ＩＭＧ＿ＳＴＢ）、手ぶれ補正限界（ＳＴＢ＿ＬＩＭ）、デジタルズーム倍率（ＤＩＧ＿ＺＯＭ）、エフェクト撮影（ＥＦＦＥＣＴ）などの情報が含められている。
【００５２】
ＥＸＰ＿ＰＲＧには、撮影時にカメラが使用した露出プログラムのクラスとして、例えば、指定無し、マニュアル、ノーマルプログラム、プリセットの何れかが記録される。また、この拡張情報として、撮影時にカメラが使用した露出プログラムのクラスがプリセットの場合には、例えば、ゲイン優先、シャッター優先、露出優先、の何れかがさらに記録される。
【００５３】
ＡＧＣには、信号処理系におけるＡＧＣゲインの値が記録される。また、ＦＬＳには、フラッシュ発光、非発光、赤目防止発光、強制発光などの撮影時のストロボの状態が記録される。
【００５４】
ＷＨＴ＿ＢＡＬには、撮影時に設定されたホワイトバランスの調整モードが記録される。ホワイトバランスの調整モードとしては、例えば、「自動」、「ホールド（ＨＯＬＤ）」、「マニュアル」、「ろうそく」、「白熱灯」、「低い色温度の蛍光灯」、「高い色温度の蛍光灯」、「日光」、「曇天」、「指定無し」などが設定可能である。
【００５５】
ＳＣＮ＿ＣＡＰ＿ＴＹＰには、設定された撮影時の被写体種別が記録される。例えば、「標準」、「風景画」、「ポートレート」、「夜景」、「指定無し」などが設定可能である。
【００５６】
ＦＣＳ＿ＭＯＤには、「自動フォーカス」、「マニュアルフォーカス」、「指定無し」などの、撮影時に設定されたフォーカスモードが記録される。
【００５７】
ＩＭＧ＿ＳＴＢには、「手ぶれ補正オン」または「手ぶれ補正オフ」、「指定無し」など、手ぶれ補正機能が働いていたかどうかが記録される。また、ＳＴＢ＿ＬＩＭには、カメラの手ぶれが限界値を超えたために手ぶれ補正ができなかった場合に、その旨が記録される。
【００５８】
ＤＩＧ＿ＺＯＭには、撮影時に使用されたデジタルズーム倍率が記録される。また、ＥＦＦＥＣＴには、エフェクト撮影がされたか否か、もしくは、エフェクト撮影におけるエフェクトの種類が記録される。
【００５９】
これら追加記録情報は、次のように映像記録装置によって記録される。
【００６０】
図９は、本発明の実施の形態における映像記録装置としての携帯機器１００の構成を示す図である。この携帯機器１００は、カメラ部１０と、記録再生処理部２０と、制御部３０とを備えている。
【００６１】
カメラ部１０は、光学ブロック１１と、カメラ制御部１２と、信号変換器１３と、撮像信号処理部１４と、音声入力部１５と、音声信号処理部１６とを備える。光学ブロック１１は、内部に、被写体を撮像するためのレンズ群、絞り調整機構、フォーカス調整機構、ズーム機構、シャッター機構、フラッシュ機構、および、手ぶれ補正機構などを備える。カメラ制御部１２は、制御部３０から制御信号を受けて、光学ブロック１１に供給する制御信号を生成する。そして、生成した制御信号を光学ブロック１１に供給して、ズーム制御、シャッター制御、および、露出制御などの制御を行なう。
【００６２】
信号変換器１３は、例えばＣＣＤ（Charge Coupled Device）などの撮像素子により構成され、その結像面に、光学ブロック１１を通じた像が結像される。この信号変換器１３は、シャッター操作に応じて制御部３０から供給される画像取り込みタイミング信号を受けて、結像面に結像されている被写体像を撮像信号に変換し、撮像信号処理部１４に供給する。
【００６３】
撮像信号処理部１４は、制御部３０からの制御信号に基づいて、撮像信号についてのガンマ補正やＡＧＣ（Auto Gain Control）などの処理を行なうとともに、撮像信号をデジタル信号としての画像信号に変換する処理も行なう。音声入力部１５は、撮影時の被写体周辺の音声を収集する。この音声入力部１５からの音声信号は音声信号処理部１６に供給される。音声信号処理部１６は、制御部３０からの制御信号に基づいて、音声信号についての補正やＡＧＣなどの処理を行なうとともに、音声信号をデジタル信号に変換する処理も行なう。
【００６４】
記録再生処理部２０は、符号化／復号回路２１と、ディスクインターフェース２３と、出力処理部２４と、バッファメモリ２５とを備える。
【００６５】
符号化／復号回路２１は、カメラ部１０からの画像信号および音声信号や追加記録情報を符号化し多重化して圧縮データに変換する符号化機能を有する。一方、符号化／復号回路２１は、圧縮データから画像信号および音声信号や追加記録情報を分離して復号する復号機能を有する。また、符号化／復号回路２１は、制御部３０からの制御信号に基づき、撮像信号処理部１４からの画像信号に対して、自動ホワイトバランス制御、露出補正制御、デジタルズーム倍率に応じた拡大制御などをさらに行なう。
【００６６】
ディスクインターフェース２３は、符号化／復号回路２１から圧縮データを受けてディスク４９に書き込む。また、ディスクインターフェース２３は、ディスク４９から圧縮データを読み出して符号化／復号回路２１に供給する。出力処理部２４は、制御部３０からの制御により、符号化／復号回路２１からの圧縮データを制御部３０や出力端子２７乃至２９に供給する。バッファメモリ２５は、例えばＳＤＲＡＭなどにより構成され、符号化／復号回路２１における符号化または復号のための作業領域として利用される。
【００６７】
制御部３０は、処理装置３１と、ＲＯＭ（Read Only Memory）３３と、ＲＡＭ（Random Access Memory）３４と、操作入力部４１を接続するための操作入力インターフェース３５と、表示部４２を接続するための表示制御部３６と、メモリカード４３を装填するためのメモリカードインターフェース３７と、手ぶれ補正のために角速度を検出する角速度検出器３８と、撮影時刻を記録するための時計回路３９とがシステムバス３２を介して接続されることにより構成される。
【００６８】
処理装置３１は制御部３０全体の処理を司るものであり、作業領域としてＲＡＭ３４を使用する。ＲＯＭ３３には、カメラ部１０を制御するためのプログラムや、画像信号や音声信号の記録制御および再生制御などを実行するためのプログラムが書き込まれている。
【００６９】
操作入力インターフェース３５に接続される操作入力部４１には、撮影モードと再生モードなどの他のモードとを切り換えるモード切り換えキー、ズーム調整キー、露出調整のためのキー、シャッターキー、動画撮影用キー、表示部４２における表示調整キーなどの複数のキーが設けられている。操作入力インターフェース３５は、操作入力部４１からの操作信号を処理装置３１に伝える。処理装置３１は、操作入力部４１においていずれのキーが操作されたかを判別し、その判別結果に応じた制御処理を行なう。
【００７０】
表示制御部３６に接続される表示部４２は、例えばＬＣＤ（Liquid Crystal Display）などにより構成され、処理装置３１の制御の下に、カメラ部１０からの画像信号や、ディスク４９から読み出された画像信号を表示する。
【００７１】
メモリカードインターフェース３７は、符号化／復号回路２１からの圧縮データをメモリカード４３に書き込む。また、メモリカードインターフェース３７は、メモリカード４３から圧縮データを読み出して符号化／復号回路２１に供給する。時計回路３９は、年、月、日、時間、分、秒などを表わす時間情報を生成する。
【００７２】
角速度検出器３８は、携帯機器１００に対して外部から加わる角速度を検出するジャイロスコープである。この角速度検出器３８からの角速度情報［ω＝（θ／秒）］は、所定間隔毎に処理装置３１に報告される。そして、記録開始からの積分値［θ］が所定の値（例えば５°）を超えると、手ぶれ補正の限界を超えたものとして、追加記録情報のＳＴＢ＿ＬＩＭにフラグがセットされる。なお、このωは、画面の中心から右にずれた場合を＋ω、左にずれた場合を−ωとしており、正負両方向のそれぞれに限界値を有している。
【００７３】
次に、本発明の実施の形態におけるディスクのファイナライズ処理について説明する。ＤＶＤ−ＲやＤＶＤ−ＲＷに対して記録を行った後、その内容をＤＶＤ−Ｖｉｄｅｏ再生装置で再生するためには、上述のようにファイナライズ処理が必要である。このファイナライズ処理は、メディアに対する記録方式によってその内容が異なってくる。
【００７４】
ＤＶＤ−Ｒメディアに対するビデオフォーマットの記録のためにはＩＮＣ方式（Incremental recording）が用いられる。このＩＮＣ方式は、シーケンシャルな書き方で、一度書いたものは原則として上書きできないという特徴を有する。一方、ＤＶＤ−ＲＷメディアに対するビデオフォーマットの記録のためには、ＩＮＣ方式に加えてＲＯＷ方式（Restricted OverWrite mode）が用いられる。このＲＯＷ方式は、上書きが可能であるが、未記録領域への記録はＩＮＣ方式と同様にシーケンシャルな書き方のみという特徴を有する。なお、ＩＮＣ方式、および、ＲＯＷ方式の記録領域情報は、リードイン領域７１１（図１）のさらに内側の記録管理領域（ＲＭＡ：Recording Management Area）とよばれる領域において管理されている。
【００７５】
図１０は、ＩＮＣ方式による記録手順を示す図である。このＩＮＣ方式の場合、一度に書き込むことが可能なエリアは最大３つまでと定義されており、そのエリアをＲｚｏｎｅと呼ぶ。このＲｚｏｎｅの管理も上述のＲＭＡで行われている。
【００７６】
まず、図１０（ａ）に示すように、ファイルシステム用の領域（ＲＺｏｎｅ＃１）とＶＴＳＩ用の領域（ＲＺｏｎｅ＃２）が予約される。このＲＺｏｎｅ＃２に続く（図示しない）領域は不可視なＲＺｏｎｅであり、データを有効に追記できる領域である。
【００７７】
図１０（ｂ）では、実データＶＴＳＴＴ＿ＶＯＢＳが記録される。そして、ＶＴＳＩの情報が生成され、その情報はＶＴＳＴＴ＿ＶＯＢＳの次にＶＴＳＩ＿ＢＵＰとして記録される。
【００７８】
図１０（ｃ）では、ＲＺｏｎｅ＃２に、ＶＴＳＩと記録済み実データ情報を一時的に管理する仮ＶＭＧＩ（ＴＭＰ＿ＶＭＧＩ：TeMPorary Video ManaGer Information）とが記録される。この時点で第１のビデオタイトルセット（ＶＴＳ＃１）が完成する。
【００７９】
図１０（ｄ）では、ＶＴＳ＃１に続いて次のビデオタイトルセットのための領域（ＲＺｏｎｅ＃３）が予約される。
【００８０】
図１０（ｅ）では、次の実データＶＴＳＴＴ＿ＶＯＢＳが記録される。そして、ＶＴＳＩの情報が生成され、その情報はＶＴＳＴＴ＿ＶＯＢＳの次にＶＴＳＩ＿ＢＵＰとして記録される。
【００８１】
図１０（ｆ）では、ＲＺｏｎｅ＃３にＶＴＳＩとＴＭＰ＿ＶＭＧＩとが記録される。この時点で第２のビデオタイトルセット（ＶＴＳ＃２）が完成する。ＴＭＰ＿ＶＭＧＩにはこの時点でＶＴＳ＃１およびＶＴＳ＃２の情報が記録されていることになる。なお、書き込みの途中段階ではＴＭＰ＿ＶＭＧＩは複数箇所に記録されるが、最外周にあるものが最新のＴＭＰ＿ＶＭＧＩであり、以降の処理もその最新のＴＭＰ＿ＶＭＧＩに従って進められる。
【００８２】
図１０（ｇ）では、同様の手順でそれ以降のビデオタイトルセットが記録されていく。
【００８３】
図１０（ｈ）では、ファイナライズ処理として、最新のＴＭＰ＿ＶＭＧＩにおける各タイトルの管理情報からファイルシステムおよびＶＭＧが作成され、ＲＺｏｎｅ＃１に記録される。そして、さらに、リードイン領域およびリードアウト領域が記録される。
【００８４】
図１１は、ＲＯＷ方式による記録手順を示す図である。このＲＯＷ方式においては、データ領域全体が一つのＲＺｏｎｅとして扱われる。
【００８５】
まず、図１１（ａ）に示すように、ファイルシステムとＶＭＧ用の領域およびＶＴＳＩ用の領域を予約しておくため、固定データ等によるパディングが書き込まれる。これにより、次に追記すべきアドレスＮＷＡ（Next Writable Address）の位置が外周側に移動する。
【００８６】
図１１（ｂ）では、実データＶＴＳＴＴ＿ＶＯＢＳが記録される。そして、ＶＴＳＩの情報が生成され、その情報はＶＴＳＴＴ＿ＶＯＢＳの次にＶＴＳＩ＿ＢＵＰとして記録される。また、これに続き、パディングにより次のＶＴＳＩ用の領域が予約され、ＮＷＡの位置が外周側に移動する。
【００８７】
図１１（ｃ）では、ＶＴＳＴＴ＿ＶＯＢＳの前にＶＴＳＩが記録される。さらに、ＴＭＰ＿ＶＭＧＩがファイルシステム用領域とＶＭＧ用領域との間に記録される。この時点で第１のビデオタイトルセット（ＶＴＳ＃１）が完成する（図１１（ｄ））。
【００８８】
図１１（ｅ）では、次の実データＶＴＳＴＴ＿ＶＯＢＳが記録される。そして、ＶＴＳＩの情報が生成され、その情報はＶＴＳＴＴ＿ＶＯＢＳの次にＶＴＳＩ＿ＢＵＰとして記録される。また、これに続き、パディングにより次のＶＴＳＩ用の領域が予約され、ＮＷＡの位置が外周側に移動する。
【００８９】
図１１（ｆ）では、ＶＴＳＴＴ＿ＶＯＢＳの前にＶＴＳＩを記録される。さらに、ファイルシステム用領域とＶＭＧ用領域との間にＴＭＰ＿ＶＭＧＩが上書きされる。この時点で第２のビデオタイトルセット（ＶＴＳ＃２）が完成する
【００９０】
図１１（ｇ）では、同様の手順でそれ以降のビデオタイトルセットが記録されていく。
【００９１】
図１１（ｈ）では、ファイナライズ処理として、ＴＭＰ＿ＶＭＧＩにおける各タイトルの管理情報からファイルシステムおよびＶＭＧが作成され、パディングにより予約（図１１（ａ））された領域に記録される。そして、さらに、リードイン領域およびリードアウト領域が記録される。
【００９２】
図１２は、図１０および図１１において記録済み実データ情報を一時的に管理するＴＭＰ＿ＶＭＧＩのデータ構造を示す図である。このＴＭＰ＿ＶＭＧＩ７９０は、仮ＶＭＧＩ管理テーブル（ＴＭＰ＿ＶＭＧＩ＿ＭＡＴ：TMP_VMGI MAnagement Table）、ビデオタイトルセットＶＯＢＳ情報テーブル（ＶＴＳ＿ＶＯＢＳ＿ＩＮＦＴ：VTS_VOBS Information Table）、および、タイトル情報テーブル（ＴＴ＿ＩＮＦＴ：TiTle Information Table）というデータ構造を備えることができる。
【００９３】
ＶＴＳ＿ＶＯＢＳ＿ＩＮＦＴは、ディスク上に存在する各ビデオタイトルセットに関する情報を保持するものであり、ビデオタイトルセット毎にＶＴＳ＿ＶＯＢＳ＿ＩＮＦとして区分してその情報を保持する。各ＶＴＳ＿ＶＯＢＳ＿ＩＮＦは、そのビデオタイトルセットの各データ構造の開始アドレス（ＶＴＳＩ＿ＳＡ、ＶＴＳＩ＿ＢＵＰ＿ＳＡ、ＶＴＳＴＴ＿ＶＯＢＳ＿ＳＡ、ＶＴＳＭ＿ＶＯＢＳ＿ＳＡ、）やサイズ、ビデオタイトルセットの属性などを保持する。従って、ディスク上に記録されている実データについて、ビデオタイトルセットとしての情報を取得する場合にはこのＶＴＳ＿ＶＯＢＳ＿ＩＮＦＴの内容を読み出すことになる。
【００９４】
ＴＴ＿ＩＮＦＴは、ディスク上に存在する各タイトルに関する情報を保持するものであり、タイトル毎にＴＴ＿ＩＮＦとして区分してその情報を保持する。各ＴＴ＿ＩＮＦは、そのタイトルの属するＶＴＳ番号（ＶＴＳＮ）、そのＶＴＳ内のタイトル番号（ＶＴＳ＿ＴＴＮ）、チャプター数（ＰＴＴ＿Ｎｓ）、タイトルの代表画像の場所（ＲＥＰ＿ＰＩＣＴＩ）、タイトル名（ＴＩＴＬＥ＿ＮＡＭＥ）などを保持する。従って、ディスク上に記録されている実データについて、タイトルとしての情報を取得する場合にはこのＴＴ＿ＩＮＦＴの内容を読み出すことになる。
【００９５】
次に、本発明の実施の形態において作成されるトップメニューの具体例について説明する。
【００９６】
図１３は、本発明の実施の形態において作成されるトップメニューの一具体例を示す図である。このトップメニューでは、ディスクに記録されている各チャプターの代表画像がサムネイル８１１として表示されている。また、このサムネイル８１１の下部にはそのチャプターのタイトル番号およびチャプター番号８１２が表示されている。このトップメニューでは、通常のチャプターメニューとは異なり、異なるタイトルに属するチャプターが公平に並べられている。
【００９７】
この図１３の例では１枚のメニューに６つのチャプターが表示されており、それ以外のチャプターを表示させたい場合には、メニューページを変更する必要がある。メニューページを変更するために使用されるのが前ページボタン８１８または次ページボタン８１９である。
【００９８】
このトップメニューのそれぞれのページは、画像データとしてＶＭＧＭ＿ＶＯＢＳ７３２に記録されている。サムネイル８１１の画像自体もメニューページの一部として貼り込まれている。一方、ユーザがリモコンなどにおける操作キーにより画面上のサムネイルを選択する際の選択枠８１５は、サブピクチャとして定義され、ＮＶ＿ＰＣＫ７６４のＰＣＩ７７２（図３）におけるハイライト情報（ＨＬＩ：HighLight Information）によりハイライト表示の制御が行われる。
【００９９】
ユーザは、操作キーのメニュー・キーによってメニュー画面を呼び出し、四方向キーでハイライト表示を移動する。四方向キー真中の決定キーによって、選択したチャプターの再生開始やページの切替えを行うことができる。
【０１００】
なお、このトップメニューの例では、サムネイル８１１の下部にタイトル番号およびチャプター番号８１２を表示しているが、これはサムネイル８１１の上部に表示するようにしてもよい。また、このタイトル番号およびチャプター番号８１２に代わり、または、これらと伴に、各チャプターの撮影時刻をＡＲＩ＿ＰＣＫ７６８のＶＯＢＵ＿ＲＥＣ＿ＴＩＭＥから取得して表示するようにしてもよい。また、別の方法として、選択枠８１５がハイライト表示されているときにのみ、そのチャプターの撮影時刻を前面に表示するようにしてもよい。
【０１０１】
図１４は、本発明の実施の形態において作成されるトップメニューの他の具体例を示す図である。このトップメニューでは、図１３のサムネイル８１１に代わり、ディスクに記録されている各チャプターのタイトル番号およびチャプター番号８２２が表示されている。また、このタイトル番号およびチャプター番号８２２の表示の下部には、そのチャプターの撮影時刻８２３が表示されている。そして、これらタイトル番号およびチャプター番号８２２や撮影時刻８２３の周囲に選択枠８２５が表示されている。なお、前ページボタン８２８または次ページボタン８２９については図１３の例と同様である。
【０１０２】
この図１４の例のようにトップメニューにサムネイルを表示しないようにすることにより、ファイナライズ処理の際に各チャプターの代表画像を選択することを不要とし、ＤＶＤ−Ｖｉｄｅｏ規格に準拠するディスクを短時間で作成することを可能とする。
【０１０３】
なお、この図１４のトップメニューの例では、タイトル番号およびチャプター番号８２２の下部に撮影時刻８２３を表示しているが、これはタイトル番号およびチャプター番号８２２の上部に表示するようにしてもよい。また、別の方法として、選択枠８２５がハイライト表示されているときにのみ、そのチャプターの撮影時刻を前面に表示するようにしてもよい。
【０１０４】
次に、本発明の実施の形態によるファイナライズ処理を実現する機能構成およびその動作について図面を参照して説明する。
【０１０５】
図１５は、本発明の実施の形態によるファイナライズ処理を実現する機能構成の一例を示す図である。この機能構成は、タイトル検索部３１０と、チャプター検索部３２０と、代表画像選択部３４０と、メニュー生成部３５０とを含んでいる。
【０１０６】
タイトル検索部３１０は、記録媒体としての光ディスクからその光ディスクに記録された動画データの各タイトルに関するタイトル情報を読み出す。このタイトル情報としては、例えば、ＴＭＰ＿ＶＭＧＩ７９０（図１２）を参照することができる。このＴＭＰ＿ＶＭＧＩ７９０のＴＴ＿ＩＮＦＴには、タイトル毎にそのタイトルが格納されているＶＴＳ番号（ＶＴＳＮ）およびそのＶＴＳにおけるタイトル番号が記録されている。また、ＴＭＰ＿ＶＭＧＩ７９０のＶＴＳ＿ＶＯＢＳ＿ＩＮＦＴには、ＶＴＳ番号に対応してそのＶＴＳのディスク内の格納位置が記録されている。従って、これらの情報を参照することにより、タイトルの格納位置を取得することができる。
【０１０７】
チャプター検索部３２０は、このようにして得られたタイトル情報に基づいて各タイトルにおける各チャプターに関するチャプター情報を読み出す。このチャプター情報としては、例えば、ＶＴＳＩ７４１（図６）を参照することができる。このＶＴＳＩ７４１のＶＴＳＩ＿ＰＴＴ＿ＳＲＰＴには、チャプター毎にそのチャプターの属するＰＧＣ番号およびその開始ＰＧ番号が記録されている。また、ＶＴＳＩ７４１のＶＴＳＩ＿ＰＧＣＩＴのＰＧＣ＿ＰＧＭＡＰには、ＰＧ番号に対応するセル番号が記録されている。さらに、ＶＴＳＩ７４１のＶＴＳＩ＿ＰＧＣＩＴのＣ＿ＰＯＳＩＴには、セル番号に対応するＶＯＢ＿ＩＤ番号およびセルＩＤ番号が記録されている。従って、これらの情報を参照することにより、チャプターの開始セルの格納位置を取得することができる。
【０１０８】
代表画像選択部３４０は、このようにして得られたチャプター情報に基づいて各チャプターにおける代表画像を選択する。この代表画像は、例えば、ＶＴＳＴＴ＿ＶＯＢＳ７４３から選択することができる。チャプター検索部３２０により各チャプターの開始セルの格納位置が判明しているため、その開始セルの先頭ＶＯＢＵから画像を選択することができる。図４により説明したとおり、各ＶＯＢＵにおいてＩピクチャは他のＰピクチャやＢピクチャとは独立して符号化されており、単独画像として取り出す用途に適している。従って、原則として、開始セルの先頭ＶＯＢＵにおけるＩピクチャを代表画像として選択することが望ましい。
【０１０９】
但し、画像の状況によっては、開始セルの先頭ＶＯＢＵから代表画像を選択することが適切ではない場合もある。例えば、多少の手ぶれが生じている場合には手ぶれ補正機能により補正されるため画像の乱れが少ないが、この手ぶれ補正の限界を超える場合には画像が乱れて代表画像には適さないと考えられる。また、ある種のエフェクト撮影を行っている場合には、チャプターの先頭画像が全て同じになることがある。例えば、各チャプターが緞帳や扉の画像から始まって、その緞帳や扉が開くと実際のコンテンツが現れてくる、といったエフェクト撮影が採用されていると、チャプターの先頭画像は全て同じになり、代表画像としての機能を果たさなくなる。従って、そのようなエフェクト撮影が行われている場合にはチャプターの先頭から所定期間経過後のＶＯＢＵから代表画像を選択することが望ましい。
【０１１０】
なお、各タイトルの代表画像は、ＴＭＰ＿ＶＭＧＩ７９０（図１２）のＴＴ＿ＩＮＦＴのＲＥＰ＿ＰＩＣＴＩで格納位置が特定されている。従って、各タイトルの先頭チャプターについては、この各タイトルの代表画像を利用するようにしてもよい。
【０１１１】
メニュー生成部３５０は、チャプター検索部３２０によって得られたチャプター情報に基づいて各チャプターを再生させるための表示領域を含むトップメニューを生成する。このトップメニューとしては、図１３のように代表画像選択部３４０により選択された代表画像を貼り付けてもよく、また、図１４のように文字による表示のみでもよい。メニュー生成部３５０は、このようにして生成したトップメニューを画像データとしてＶＭＧＭ＿ＶＯＢＳ７３２に記録する。
【０１１２】
そして、ＶＭＧの他の情報が記録され、リードイン領域およびリードアウト領域などが記録されることにより、ファイナライズ処理が完了する。このようにしてファイナライズ処理が完了した記録媒体は、ＤＶＤ−Ｖｉｄｅｏ再生装置により再生することができるようになる。
【０１１３】
図１６は、本発明の実施の形態によるファイナライズ処理の手順の一例を示す図である。まず、記録媒体としての光ディスクからその光ディスクに記録された動画データの各タイトルに関するタイトル情報が読み出される（ステップＳ９１１、Ｓ９１２）。すなわち、例えばＴＭＰ＿ＶＭＧＩ７９０のＴＴ＿ＩＮＦＴより最初のタイトルのＶＴＳ番号およびそのＶＴＳ内のタイトル番号が取得される（ステップＳ９１１）。そして、その得られたＶＴＳ番号からＴＭＰ＿ＶＭＧＩ７９０のＶＴＳ＿ＶＯＢＳ＿ＩＮＦＴを参照することによりディスク上のＶＴＳＩの位置が取得される（ステップＳ９１２）。
【０１１４】
続いてこのようにして得られたタイトル情報に基づいて各タイトルにおける各チャプターに関するチャプター情報が読み出される（ステップＳ９２１乃至Ｓ９２３）。すなわち、ＶＴＳ内のタイトル番号および最初のチャプター番号から、ＶＴＳＩ７４１のＶＴＳＩ＿ＰＴＴ＿ＳＲＰＴを参照することによりそのチャプターが属するＰＧＣのＰＧＣ番号と開始ＰＧ番号とが取得される（ステップＳ９２１）。次に、そのＰＧＣ番号により示されるＶＴＳＩ７４１のＶＴＳＩ＿ＰＧＣＩＴのＰＧＣ＿ＰＧＭＡＰにおいて開始ＰＧ番号に対応する開始セル番号が取得される（ステップＳ９２２）。そして、この開始セル番号に示されるセルのＶＯＢ＿ＩＤ番号とセルＩＤ番号とがＶＴＳＩ７４１のＶＴＳＩ＿ＰＧＣＩＴのＣ＿ＰＯＳＩＴから取得される（ステップＳ９２３）。
【０１１５】
また、ステップＳ９２３により取得されたＶＯＢ＿ＩＤ番号およびセルＩＤ番号に基づいてそのチャプターの代表画像が選択される（ステップＳ９２４）。このチャプター代表画像の選択については図１７により後述する。
【０１１６】
そして、ステップＳ９２３までにより取得されたチャプター情報に基づいて各チャプターを再生させるための表示領域を含むトップメニューが生成される（ステップＳ９２５）。このとき、ステップＳ９２４で選択されたチャプターの代表画像をトップメニューに表示するようにしてもよい。
【０１１７】
ここまでの処理でタイトル内の全てのチャプターに関する処理が完了していなければ、そのタイトル内の次のチャプターを処理対象として（ステップＳ９２８）、ステップＳ９１１からの処理が繰り返される（ステップＳ９２７）。タイトル内の全てのチャプターに関する処理が完了していれば（ステップＳ９２７）、ここまでの処理で全てのタイトルに関する処理が完了しているかの判断がされる（ステップＳ９１７）。全てのタイトルに関する処理が完了していなければ、次のタイトルを処理対象として（ステップＳ９１８）ステップＳ９１１からの処理が繰り返され、全てのタイトルに関する処理が完了していればトップメニュー作成の処理が終了される。
【０１１８】
図１７は、本発明の実施の形態におけるチャプター代表画像選択（ステップＳ９２４）の処理手順の一例を示す図である。まず、開始セルの先頭ＶＯＢＵを現ＶＯＢＵとして着目して（ステップＳ９４１）、開始セルの先頭ＶＯＢＵにおけるＡＲＩ＿ＰＣＫ７６８（図８）のエフェクト撮影（ＥＦＦＥＣＴ）により所定のエフェクト撮影が行われていることが判明した場合には（ステップＳ９４２）、そのＶＯＢＵにおける画像は選択対象から外され、先頭ＶＯＢＵから所定期間経過した後のＶＯＢＵにおける画像（例えば、Ｉピクチャ）がチャプター代表画像として選択される（ステップＳ９４３）。なお、経過時間に基づいてＶＯＢＵを特定するためには、ＶＴＳＩ７４１（図６）のＶＴＳＩ＿ＴＭＡＰＴを参照することができる。
【０１１９】
また、所定のエフェクト撮影が行われていない場合であって、現ＶＯＢＵにおけるＡＲＩ＿ＰＣＫ７６８（図８）の手ぶれ補正限界（ＳＴＢ＿ＬＩＭ）が限界を超えた旨を示している場合には（ステップＳ９４４）、そのＶＯＢＵにおける画像は選択対象から外され、次のＶＯＢＵを現ＶＯＢＵとして再び手ぶれ補正限界が調べられる（ステップＳ９４５）。ステップＳ９４４において、ＳＴＢ＿ＬＩＭが限界を超えた旨を示していなければ、その際の現ＶＯＢＵにおける画像がチャプター代表画像として選択される（ステップＳ９４６）。
【０１２０】
このように、本発明の実施の形態によれば、ファイナライズ処理の際に、チャプター検索部３２０により取得されたチャプター情報に基づいて、各チャプターを再生させるための表示領域を含むトップメニューをメニュー生成部３５０によって生成することができる。
【０１２１】
次に、本発明の実施の形態の変形例について説明する。上述の実施の形態では、全てのタイトルの全てのチャプターをトップメニューに表示している。ディスク上の全てのタイトルがカムコーダにより記録されている場合には、全てのチャプターを表示しても何等不都合は生じない。しかし、カムコーダ以外の据え置き型のデッキ（レコーダ）によって記録されたタイトルは、所定経過時間毎にチャプターに分割されることになっており、記録内容に係わらず自動的にチャプター分割がされてしまう。従って、レコーダによって記録されたタイトルについて全てのチャプターをトップメニューに表示してしまうと、ユーザの意図しないメニュー表示となり、また、表示されるチャプターの数が予想外に多くなってしまう。そこで、本発明の実施の形態の変形例として、以下のように各タイトルを記録した装置の種別を判断してチャプターのトップメニューへの表示態様を切り換えるようにした例を説明する。
【０１２２】
図１８は、本発明の実施の形態によるファイナライズ処理を実現する機能構成の他の例を示す図である。この機能構成は、図１５の例に加えて、装置種別検出部３３０を含んでいる。この装置種別検出部３３０は、各タイトルをディスクに記録した装置種別を検出する。この装置種別を検出するために、ＡＲＩ＿ＰＣＫ７６８（図８）を利用することができる。すなわち、各タイトルのＶＴＳＴＴ＿ＶＯＢＳ７４３におけるＡＲＩ＿ＰＣＫ７６８の装置種別（ＰＲＤ＿ＴＹＰ）を参照することにより、そのタイトルがカムコーダにより記録されたのか、レコーダにより記録されたのかを判別することができる。
【０１２３】
この装置種別検出部３３０による検出結果に応じて、チャプター検索部３２０は、各タイトルに含まれる全てのチャプターに関する前記チャプター情報を読み出すべきか、もしくは先頭チャプターのみに関する前記チャプター情報を読み出すべきかを判断することになる。これにより、メニュー生成部３５０により生成されるトップメニューに表示されるチャプターが制限される。
【０１２４】
図１９は、本発明の実施の形態によるファイナライズ処理の手順の他の例を示す図である。この手順では、図１６の例に対して装置種別を判断するステップ（ステップＳ９１６）が加えられている。すなわち、各タイトルにおける先頭チャプターに関する処理が終了する際に、ＡＲＩ＿ＰＣＫ７６８のＰＲＤ＿ＴＹＰから装置種別が判断され、そのタイトルを記録した装置がカムコーダであればタイトル内の全てのチャプターを表示すべく次のチャプターの処理を行い（ステップＳ９２７）、そのタイトルを記録した装置がレコーダであればタイトル内の先頭チャプターのみを表示すべく次のタイトルの処理を行う（ステップＳ９１７）。
【０１２５】
このように、本発明の実施の形態の変形例によれば、タイトルを記録した装置種別を装置種別検出部３３０により判断することにより、カムコーダであればタイトル内の全てのチャプターをトップメニューに表示させ、レコーダであればタイトル内の先頭チャプターのみをトップメニューに表示させることができる。なお、これらの判断はタイトル毎に行われるため、同一のディスクに異なる装置種別により記録されたタイトルが混在していてもそれぞれ装置種別に応じた表示を行うことができる。
【０１２６】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【０１２７】
すなわち、請求項１において、タイトル検索手段は例えばタイトル検索部３１０に対応する。また、チャプター検索手段は例えばチャプター検索部３２０に対応する。また、メニュー生成手段は例えばメニュー生成部３５０に対応する。
【０１２８】
また、請求項３において、代表画像選択手段は例えば代表画像選択部３４０に対応する。
【０１２９】
また、請求項４において、完結画像データは例えばＩピクチャに対応する。
【０１３０】
また、請求項６において、所定の属性としては例えば手ぶれ補正限界を超えたものであることや所定のエフェクト撮影によるものであることに対応する。
【０１３１】
また、請求項９において、装置種別検出手段は例えば装置種別検出部３３０に対応する。
【０１３２】
また、請求項１１または１４において、記録媒体からその記録媒体に記録された動画データの各タイトルに関するタイトル情報を読み出す手順は例えばステップＳ９１１およびＳ９１２に対応する。また、タイトル情報に基づいて各タイトルにおける各チャプターに関するチャプター情報を読み出す手順は例えばステップＳ９２１乃至Ｓ９２３に対応する。また、各チャプターを再生させるための表示領域を含むトップメニューをチャプター情報に基づいて生成して記録媒体に記録する手順は例えばステップＳ９２５に対応する。
【０１３３】
また、請求項１２または１５において、記録媒体からその記録媒体に記録された動画データの各タイトルに関するタイトル情報を読み出す手順は例えばステップＳ９１１およびＳ９１２に対応する。また、タイトル情報に基づいて各タイトルにおける各チャプターに関するチャプター情報を読み出す手順は例えばステップＳ９２１乃至Ｓ９２３に対応する。また、チャプター情報に基づいて各チャプターにおける代表画像を選択する手順は例えばステップＳ９２４に対応する。また、各チャプターを再生させるための表示領域を代表画像と関連付けて提示するトップメニューをチャプター情報に基づいて生成して記録媒体に記録する手順は例えばステップＳ９２５に対応する。
【０１３４】
また、請求項１３または１６において、記録媒体からその記録媒体に記録された動画データの各タイトルに関するタイトル情報を読み出す手順は例えばステップＳ９１１およびＳ９１２に対応する。また、タイトル情報に基づいて各タイトルにおける先頭チャプターに関してチャプター情報を読み出す手順は例えばステップＳ９２１乃至Ｓ９２３に対応する。また、動画データを記録媒体に記録した装置種別を各タイトル毎に検出する手順は例えばステップＳ９１６に対応する。また、装置種別が所定の種別である場合には先頭チャプターに続く各チャプターに関してチャプター情報を読み出す手順は例えばステップＳ９１６に対応する。また、各チャプターを再生させるための表示領域を含むトップメニューをチャプター情報に基づいて生成して記録媒体に記録する手順は例えばステップＳ９２５に対応する。
【０１３５】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【産業上の利用可能性】
【０１３６】
本発明の活用例として、例えばＤＶＤ−ＲやＤＶＤ−ＲＷに記録された内容をＤＶＤ−Ｖｉｄｅｏ再生装置で再生可能とするために行われるファイナライズ処理において本発明を適用することができる。
【図面の簡単な説明】
【０１３７】
【図１】ＤＶＤ−Ｖｉｄｅｏ規格によるディスクのデータ構造を示す図である。
【図２】ビデオタイトルセット（ＶＴＳ）におけるタイトルとチャプターとの関係を示す図である。
【図３】ビデオオブジェクトセット（ＶＯＢＳ）の構成要素を示す図である。
【図４】ビデオオブジェクトユニット（ＶＯＢＵ）と符号化画像との関係を示す図である。
【図５】プログラムチェイン（ＰＧＣ）におけるプログラムチェイン情報（ＰＧＣＩ）とビデオオブジェクトセット（ＶＯＢＳ）との関係を示す図である。
【図６】ビデオタイトルセット情報（ＶＴＳＩ）のデータ構造を示す図である。
【図７】ビデオマネージャ情報（ＶＭＧＩ）のデータ構造を示す図である。
【図８】本発明の実施の形態における追加記録情報（ＡＲＩ＿ＰＣＫ）のデータ構造を示す図である。
【図９】本発明の実施の形態における映像記録装置としての携帯機器１００の構成を示す図である。
【図１０】ＩＮＣ方式（Incremental recording）による記録手順を示す図である。
【図１１】ＲＯＷ方式（Restricted OverWrite mode）による記録手順を示す図である。
【図１２】図１０および図１１において記録済み実データ情報を一時的に管理するＴＭＰ＿ＶＭＧＩのデータ構造を示す図である。
【図１３】本発明の実施の形態において作成されるトップメニューの一具体例を示す図である。
【図１４】本発明の実施の形態において作成されるトップメニューの他の具体例を示す図である。
【図１５】本発明の実施の形態によるファイナライズ処理を実現する機能構成の一例を示す図である。
【図１６】本発明の実施の形態によるファイナライズ処理の手順の一例を示す図である。
【図１７】本発明の実施の形態におけるチャプター代表画像選択（ステップＳ９２４）の処理手順の一例を示す図である。
【図１８】本発明の実施の形態によるファイナライズ処理を実現する機能構成の他の例を示す図である。
【図１９】本発明の実施の形態によるファイナライズ処理の手順の他の例を示す図である。
【符号の説明】
【０１３８】
１０  カメラ部
１１  光学ブロック
１２  カメラ制御部
１３  信号変換器
１４  撮像信号処理部
１５  音声入力部
１６  音声信号処理部
２０  記録再生処理部
２１  復号回路
２３  ディスクインターフェース
２４  出力処理部
２５  バッファメモリ
２７〜２９  出力端子
３０  制御部
３１  処理装置
３２  システムバス
３３  ＲＯＭ
３４  ＲＡＭ
３５  操作入力インターフェース
３６  表示制御部
３７  メモリカードインターフェース
３８  角速度検出器
３９  時計回路
４１  操作入力部
４２  表示部
４３  メモリカード
４９  ディスク
１００  携帯機器
３１０  タイトル検索部
３２０  チャプター検索部
３３０  装置種別検出部
３４０  代表画像選択部
３５０  メニュー生成部
【図１】
2005079823.tif 000003
【図２】
2005079823.tif 000004
【図３】
2005079823.tif 000005
【図４】
2005079823.tif 000006
【図５】
2005079823.tif 000007
【図６】
2005079823.tif 000008
【図７】
2005079823.tif 000009
【図８】
2005079823.tif 000010
【図９】
2005079823.tif 000011
【図１０】
2005079823.tif 000012
【図１１】
2005079823.tif 000013
【図１２】
2005079823.tif 000014
【図１３】
2005079823.tif 000015
【図１４】
2005079823.tif 000016
【図１５】
2005079823.tif 000017
【図１６】
2005079823.tif 000018
【図１７】
2005079823.tif 000019
【図１８】
2005079823.tif 000020
【図１９】
2005079823.tif 000021